(57)【特許請求の範囲】
【請求項１】
基端側に開口（４）を設けたケーシング（１）、及び自由端側に開口（５）を設けた第２のケーシング（２３）において、その基端側から自由端側に向って、順次、下記の部品を内装する構成とした浮遊ミスト捕捉機であって、
このケーシング（１）の基端側に設けた貫通孔（７）を備えた支持板（８）に駆動用のモータ（１０）を設け、
この支持板（８）の前面には、このケーシング（１）の内面に環状の間隔をおいて第１のパンチング筒部（１３）を内装し、この第１のパンチング筒部（１３）には、その中心に前記モータ（１０）の出力軸（１０ａ）を設けるとともに、この第１のパンチング筒部（１３）の開放側には、開口（１４ａ）を有する遮蔽板（１４）を設け、この遮蔽板（１４）の開口（１４ａ）には第一吸込手段を設け、かつこの出力軸（１０ａ）に設けた羽根（１１）を内装し、
この第１のパンチング筒部（１３）の開放側には、このケーシング（１）の内面に環状の間隔をおいて前記出力軸（１０ａ）に固止した回転自在のパンチング回転板（１２）を内装し、
またこのパンチング回転板（１２）の前面に第２のケーシング（２３）を設けて、第１の部屋（Ａ）とするとともに、この第１の部屋（Ａ）には、第２のケーシング（２３）の内面に環状の間隔をおいて第２のパンチング筒部（２４）を設け、この第２のパンチング筒部（２４）に盲板（２５）を内装し、
さらに前記第２のケーシング（２３）の自由端側には、第２の吸込手段を内装し、この第２のケーシング（２３）の自由端側の開口（５）に、前記第２の吸込手段の吸込口（２８ａ）を整合する構成とした浮遊ミスト捕捉機。
【請求項２】
請求項１に記載の浮遊ミスト捕捉機であって、
前記ケーシング（１）には、前記モータ（１０）、第１のパンチング筒部（１３）、及び羽根（１１）、並びに第１の吸込手段と、パンチング回転板（１２）とを内装し、
このケーシング（１）に、第１の部屋（Ａ）を構成する第２のケーシング（２３）を連設し、この第２のケーシング（２３）には、第２の吸込手段を内装する構成とした浮遊ミスト捕捉機。
【請求項３】
基端側に開口（４）を設けたケーシング（１）、及び自由端側に開口（５）を設けた第２のケーシング（２３）と、第３のケーシング（４０）において、その基端側から自由端側に向って、順次、下記の部品を内装する構成とした浮遊ミスト捕捉機であって、
このケーシング（１）の基端側に設けた貫通孔（７）を備えた支持板（８）に駆動用のモータ（１０）を設け、
この支持板（８）の前面には、このケーシング（１）の内面に環状の間隔をおいて第１のパンチング筒部（１３）を内装し、この第１のパンチング筒部（１３）には、その中心に前記モータ（１０）の出力軸（１０ａ）を設けるとともに、この第１のパンチング筒部（１３）の開放側には、開口（１４ａ）を有する遮蔽板（１４）を設け、この遮蔽板（１４）の開口（１４ａ）には第一吸込手段を設け、かつこの出力軸（１０ａ）に設けた羽根（１１）を内装し、
この第１のパンチング筒部（１３）の開放側には、このケーシング（１）の内面に環状の間隔をおいて前記出力軸（１０ａ）に固止した回転自在のパンチング回転板（１２）を内装し、
またこのパンチング回転板（１２）の前面に第３のケーシング（４０）を設けて、第２の部屋（Ｂ）とするとともに、この第２の部屋（Ｂ）には、第３の吸込手段を内装し、
そして、この第２の部屋（Ｂ）の前面に第２のケーシング（２３）を設けて、第１の部屋（Ａ）とするとともに、この第１の部屋（Ａ）には、この第２のケーシング（２３）の内面に環状の間隔をおいて第２のパンチング筒部（２４）を設け、この第２のパンチング筒部（２４）に盲板（２５）を内装し、
さらに前記第２のケーシング（２３）の自由端側には、第２の吸込手段を内装し、この第２のケーシング（２３）の自由端側の開口（５）に、前記第２の吸込手段の吸込口（２８ａ）を整合する構成とした浮遊ミスト捕捉機。
【請求項４】
請求項３に記載の浮遊ミスト捕捉機であって、
前記ケーシング（１）には、前記モータ（１０）、第１のパンチング筒部（１３）、及び羽根（１１）、並びに第１の吸込手段と、パンチング回転板（１２）とを内装し、
このケーシング（１）に、第２の部屋（Ｂ）を構成する第３のケーシング（４０）を連設し、この第３のケーシング（４０）には、第３の吸込手段を内装し、
さらにこの第３のケーシング（４０）に、第１の部屋（Ａ）を構成する第２のケーシング（２３）を連設し、この第１の部屋（Ａ）には、間隔をおいて盲板（２５）を内装するとともに、この第２のケーシング（２３）には、第２の吸込手段を内装する構成とした浮遊ミスト捕捉機。
【請求項５】
請求項１、又は請求項３に記載の浮遊ミスト捕捉機であって、
前記ケーシング（１）の内面に、環状の間隔をおいて設けたパンチング回転板（１２）の円周端で、かつこのケーシング（１）の基端側には、環状の筒片を突設し、この環状の筒片と、このケーシング（１）の内面との間に、第３の部屋（Ｃ）を設ける構成とした浮遊ミスト捕捉機。
【請求項６】
請求項１、又は請求項３に記載の浮遊ミスト捕捉機であって、
前記第１のパンチング筒部（１３）は、二重構造のパンチング板を、環状に形成し、かつこの二重構造のパンチング板材間に隙間を形成する構成とした浮遊ミスト捕捉機。
【請求項７】
請求項１、又は請求項３に記載の浮遊ミスト捕捉機であって、
前記ケーシング（１）の基端側の開口（４）は、このケーシング（１）の基端側を閉塞する遮蔽板（２）より突出した環状の筒部とする構成とした浮遊ミスト捕捉機。
【請求項８】
請求項１、又は請求項３に記載の浮遊ミスト捕捉機であって、
前記第２のケーシング（２３）の自由端側の開口（５）に設けた遮蔽板（３）に穿孔した環状孔と、前記第２の吸込手段の吸込口（２８ａ）を整合する構成とした浮遊ミスト捕捉機。
【発明の詳細な説明】
【技術分野】
【０００１】
本発明は、ＮＣ工作機械、加工工作機械等の装置に設置されたオイルミスト除去装置等より排出される浮遊ミスト中に含まれる微細油分を捕捉する浮遊ミスト捕捉機に関する。
【背景技術】
【０００２】
従来、例えば、ＮＣ工作機械、加工工作機械等の如く、水溶性切削液を使用する装置に設置されたオイルミスト除去装置を介して、加工時に発生する油分を含んだ排気は、油水分離される。しかし、このオイルミスト除去装置において、油水分離されるが、この除去装置で捕捉（回収）できないミスト（微粒子）が、空気中に拡散される。この結果、工場内の空気及び／又は設備等を汚染し、また環境悪化と、健康維持に問題が発生する。このような状況を回避するために、空気中を浮遊するミスト（浮遊ミスト）を捕捉する必要がある。そのために、種々の装置が提案されている。その一例を、先行文献として、以下に説明する。
【０００３】
文献（１）は、特開２００４−１６８４２の「ミスト回収装置」であり、内容は、公開公報の要約で説明されている。即ち、その意図は、空気流に含まれるオイル等の浮遊ミストの回収効率を向上し、かつ清掃や交換等のメンテナンスの容易化を図ることにある。その構造は、回転軸に回転板（回転板に多数の孔を備えた「フィルター方式の回転板」）を複数枚設け、この回転板の間に衝突板を配備して回転体を構成し、この回転体を筒状のケース（ケーシング）に軸支し、このケーシングの空気流の入口より、浮遊ミストを吸込んだ後に、この回転板及び／又はフィルターによる遠心力分離で、浮遊ミストの流れをカットしつつ、衝突板による衝突を介して、油水分離し、清浄化された空気を、ケーシングの出口より、空気中に放出し、また分離した油分を、下側のトレー（ミスト排出室）に回収する構成である。
【０００４】
また文献（２）は、特開２００５−１６１２９８の「オイルミスト集塵器」であり、内容は、公開公報の要約で説明されている。即ち、その意図は、浮遊ミストをインペラーに吸入し、衝突板に衝突させることによってオイルを一次分離し、この一次分離した混合空気に、遠心力を加えてストレーナにオイルを凝縮させる工程により、多段階で、効率的にオイルを分離することにある。その構造は、吸入された空気を放射状に吐き出すためにモータによって駆動されるインペラーと、このインペラーの外周縁部に隣接して設けられ、かつこのインペラーから吐き出される空気を衝突させることによって空気中に含まれたオイルを一次分離する衝突板を設けた構成である。
【０００５】
【特許文献１】特開２００４−１６８４２
【特許文献２】特開２００５−１６１２９８
【発明の開示】
【発明が解決しようとする課題】
【０００６】
文献（１）は、ケーシングの内面に、捕集マットを設ける構造であり、この捕集マットは、油分で湿潤されることから、交換が必要となること、そして、この交換に伴って、廃棄処分の作業があり、手間と段取りが要求されること等の改良点を抱えている。またこの文献（１）では、回転板及び／又は衝突板が組付けられる構造を採用するが、構造上、分解は面倒であり、メンテナンスが要求されるこの種の装置では、改良の余地が考えられる。
【０００７】
また文献（２）は、インペラーの外周に中心フィルターを介してスクリーンストレーナを配備し、このスクリーンストレーナの外周に外部フィルターを配備する構造であり、この中心・外部フィルターの双方のフィルターを配備する構造であり、前述の文献（１）と同様に、交換と、後処理の問題がある。そして、この文献（２）は、構造上で考えた場合に、小型の捕集器（捕捉器）には適するが、工場用の中型、大型の捕捉機（回収装置）には、不向きであると考えられる。また不織布等の多孔性フィルター（フィルターとする）の目詰まりの問題もあり、この点も改良点である。
【課題を解決するための手段】
【０００８】
請求項１の発明は、従来のフィルターを採用することによる目詰まりの問題を解消すること（フィルターレスを図ること）、浮遊ミストは、迂回通路と、多段の広域的なパンチング手段（パンチング回転板、第１・第２のパンチング筒部）とを介して、フィルターレスを図ること等を意図する。そして、この請求項１の発明は、浮遊ミストの衝突及び／又は拡散、並びにパンチングの多孔による浮遊ミストの微粒子化を介して、空気と油分を確実に分離させ、かつ油分を回収することを意図する。
【０００９】
請求項１は、基端側に開口（４）を設けたケーシング（１）、及び自由端側に開口（５）を設けた第２のケーシング（２３）において、その基端側から自由端側に向って、順次、下記の部品を内装する構成とした浮遊ミスト捕捉機であって、
このケーシング（１）の基端側に設けた貫通孔（７）を備えた支持板（８）に駆動用のモータ（１０）を設け、
この支持板（８）の前面には、このケーシング（１）の内面に環状の間隔をおいて第１のパンチング筒部（１３）を内装し、この第１のパンチング筒部（１３）には、その中心に前記モータ（１０）の出力軸（１０ａ）を設けるとともに、この第１のパンチング筒部（１３）の開放側には、開口（１４ａ）を有する遮蔽板（１４）を設け、この遮蔽板（１４）の開口（１４ａ）には第一吸込手段を設け、かつこの出力軸（１０ａ）に設けた羽根（１１）を内装し、
この第１のパンチング筒部（１３）の開放側には、このケーシング（１）の内面に環状の間隔をおいて前記出力軸（１０ａ）に固止した回転自在のパンチング回転板（１２）を内装し、
またこのパンチング回転板（１２）の前面に第２のケーシング（２３）を設けて、第１の部屋（Ａ）とするとともに、この第１の部屋（Ａ）には、第２のケーシング（２３）の内面に環状の間隔をおいて第２のパンチング筒部（２４）を設け、この第２のパンチング筒部（２４）に盲板（２５）を内装し、
さらに前記第２のケーシング（２３）の自由端側には、第２の吸込手段を内装し、この第２のケーシング（２３）の自由端側の開口（５）に、前記第２の吸込手段の吸込口（２８ａ）を整合する構成とした浮遊ミスト捕捉機
である。
【００１０】
請求項２の発明は、請求項１の目的を達成すること、この目的を達成するために、最適で、かつ分解が可能な構造の浮遊ミスト捕捉機を提供すること等を意図する。
【００１１】
請求項２は、請求項１に記載の浮遊ミスト捕捉機であって、
前記ケーシング（１）には、前記モータ（１０）、第１のパンチング筒部（１３）、及び羽根（１１）、並びに第１の吸込手段と、パンチング回転板（１２）とを内装し、
このケーシング（１）に、第１の部屋（Ａ）を構成する第２のケーシング（２３）を連設し、この第２のケーシング（２３）には、第２の吸込手段を内装する構成とした浮遊ミスト捕捉機である。
【００１２】
請求項３の発明は、従来のフィルターを採用することによる目詰まりの問題を解消すること（フィルターレスを図ること）、浮遊ミストは、多重の迂回通路と、多段の広域的なパンチング手段（パンチング回転板、第１・第２のパンチング筒部）とを介して、確実にフィルターレスを図ること等を意図する。そして、この請求項３の発明は、浮遊ミストの適確な衝突及び／又は確実な拡散、並びにパンチングの多孔による浮遊ミストの微粒子化を介して、空気と油分を、精緻に分離、かつ油分を確実に回収することを意図する。
【００１３】
請求項３は、基端側に開口（４）を設けたケーシング（１）、及び自由端側に開口（５）を設けた第２のケーシング（２３）と、第３のケーシング（４０）において、その基端側から自由端側に向って、順次、下記の部品を内装する構成とした浮遊ミスト捕捉機であって、
このケーシング（１）の基端側に設けた貫通孔（７）を備えた支持板（８）に駆動用のモータ（１０）を設け、
この支持板（８）の前面には、このケーシング（１）の内面に環状の間隔をおいて第１のパンチング筒部（１３）を内装し、この第１のパンチング筒部（１３）には、その中心に前記モータ（１０）の出力軸（１０ａ）を設けるとともに、この第１のパンチング筒部（１３）の開放側には、開口（１４ａ）を有する遮蔽板（１４）を設け、この遮蔽板（１４）の開口（１４ａ）には第一吸込手段を設け、かつこの出力軸（１０ａ）に設けた羽根（１１）を内装し、
この第１のパンチング筒部（１３）の開放側には、このケーシング（１）の内面に環状の間隔をおいて前記出力軸（１０ａ）に固止した回転自在のパンチング回転板（１２）を内装し、
またこのパンチング回転板（１２）の前面に第３のケーシング（４０）を設けて、第２の部屋（Ｂ）とするとともに、この第２の部屋（Ｂ）には、第３の吸込手段を内装し、
そして、この第２の部屋（Ｂ）の前面に第２のケーシング（２３）を設けて、第１の部屋（Ａ）とするとともに、この第１の部屋（Ａ）には、この第２のケーシング（２３）の内面に環状の間隔をおいて第２のパンチング筒部（２４）を設け、この第２のパンチング筒部（２４）に盲板（２５）を内装し、
さらに前記第２のケーシング（２３）の自由端側には、第２の吸込手段を内装し、この第２のケーシング（２３）の自由端側の開口（５）に、前記第２の吸込手段の吸込口（２８ａ）を整合する構成とした浮遊ミスト捕捉機である。
【００１４】
請求項４の発明は、請求項３の目的を達成すること、この目的を達成するために、最適で、かつ分解が可能な構造の浮遊ミスト捕捉機を提供すること等を意図する。
【００１５】
請求項４は、請求項３に記載の浮遊ミスト捕捉機であって、
前記ケーシング（１）には、前記モータ（１０）、第１のパンチング筒部（１３）、及び羽根（１１）、並びに第１の吸込手段と、パンチング回転板（１２）とを内装し、
このケーシング（１）に、第２の部屋（Ｂ）を構成する第３のケーシング（４０）を連設し、この第３のケーシング（４０）には、第３の吸込手段を内装し、
さらにこの第３のケーシング（４０）に、第１の部屋（Ａ）を構成する第２のケーシング（２３）を連設し、この第１の部屋（Ａ）には、間隔をおいて盲板（２５）を内装するとともに、この第２のケーシング（２３）には、第２の吸込手段を内装する構成とした浮遊ミスト捕捉機である。
【００１６】
請求項５の発明は、請求項１、又は請求項３の目的を達成すること、この目的を達成するために、最適なパンチング回転板の構造を提供すること等を意図する。
【００１７】
請求項５は、請求項１、又は請求項３に記載の浮遊ミスト捕捉機であって、
前記ケーシング（１）の内面に、環状の間隔をおいて設けたパンチング回転板（１２）の円周端で、かつこのケーシング（１）の基端側には、環状の筒片を突設し、この環状の筒片と、このケーシング（１）の内面との間に、第３の部屋（Ｃ）を設ける構成とした浮遊ミスト捕捉機である。
【００１８】
請求項６の発明は、請求項１、又は請求項３の目的を達成すること、この目的を達成するために、最適な第１のパンチング筒部の構造を提供すること等を意図する。
【００１９】
請求項６は、請求項１、又は請求項３に記載の浮遊ミスト捕捉機であって、
前記第１のパンチング筒部（１３）は、二重構造のパンチング板を、環状に形成し、かつこの二重構造のパンチング板材間に隙間を形成する構成とした浮遊ミスト捕捉機である。
【００２０】
請求項７・８の発明は、請求項１、又は請求項３の目的を達成すること、この目的を達成するために、最適なケーシング及び第２のケーシングの構造を提供すること等を意図する。
【００２１】
請求項７は、請求項１、又は請求項３に記載の浮遊ミスト捕捉機であって、
前記ケーシング（１）の基端側の開口（４）は、このケーシング（１）の基端側を閉塞する遮蔽板（２）より突出した環状の筒部とする構成とした浮遊ミスト捕捉機である。
【００２２】
請求項８は、請求項１、又は請求項３に記載の浮遊ミスト捕捉機であって、
前記第２のケーシング（２３）の自由端側の開口（５）に設けた遮蔽板（３）に穿孔した環状孔と、前記第２の吸込手段の吸込口（２８ａ）を整合する構成とした浮遊ミスト捕捉機である。
【００２３】
【００２４】
【発明の効果】
【００２５】
請求項１の発明は、基端側に開口（４）を設けたケーシング（１）、及び自由端側に開口（５）を設けた第２のケーシング（２３）において、その基端側から自由端側に向って、順次、下記の部品を内装する構成とした浮遊ミスト捕捉機であって、
このケーシング（１）の基端側に設けた貫通孔（７）を備えた支持板（８）に駆動用のモータ（１０）を設け、
支持板（８）の前面には、ケーシング（１）の内面に環状の間隔をおいて第１のパンチング筒部（１３）を内装し、第１のパンチング筒部（１３）には、中心にモータ（１０）の出力軸（１０ａ）を設けるとともに、第１のパンチング筒部（１３）の開放側には、開口（１４ａ）を有する遮蔽板（１４）を設け、遮蔽板（１４）の開口（１４ａ）には第一吸込手段を設け、かつ出力軸（１０ａ）に設けた羽根（１１）を内装し、
第１のパンチング筒部（１３）の開放側には、ケーシング（１）の内面に環状の間隔をおいて出力軸（１０ａ）に固止した回転自在のパンチング回転板（１２）を内装し、
またパンチング回転板（１２）の前面に第２のケーシング（２３）を設けて、第１の部屋（Ａ）とするとともに、第１の部屋（Ａ）には、第２のケーシング（２３）の内面に環状の間隔をおいて第２のパンチング筒部（２４）を設け、第２のパンチング筒部（２４）に盲板（２５）を内装し、
さらに第２のケーシング（２３）の自由端側には、第２の吸込手段を内装し、第２のケーシング（２３）の自由端側の開口（５）に、第２の吸込手段の吸込口（２８ａ）を整合する構成とした浮遊ミスト捕捉機である。
【００２６】
従って、請求項１は、従来のフィルターを採用することによる目詰まりの問題を解消すること（フィルターレスを図ること）、浮遊ミストは、迂回通路と、多段の広域的なパンチング手段（パンチング回転板、第１・第２のパンチング筒部）とを介して、フィルターレスが図れる特徴がある。そして、この請求項１は、浮遊ミストの衝突及び／又は拡散、並びにパンチングの多孔による浮遊ミストの微粒子化を介して、空気と油分を確実に分離させ、かつ油分の回収が図れる実益がある。
【００２７】
請求項２の発明は、請求項１に記載の浮遊ミスト捕捉機であって、
ケーシング（１）には、モータ（１０）、第１のパンチング筒部（１３）、及び羽根（１１）、並びに第１の吸込手段と、パンチング回転板（１２）とを内装し、
ケーシング（１）に、第１の部屋（Ａ）を構成する第２のケーシング（２３）を連設し、第２のケーシング（２３）には、第２の吸込手段を内装する構成とした浮遊ミスト捕捉機である。
【００２８】
従って、請求項２は、請求項１の目的を達成できること、この目的を達成するために、最適で、かつ分解が可能な構造の浮遊ミスト捕捉機を提供できること等の特徴を有する。
【００２９】
請求項３の発明は、基端側に開口（４）を設けたケーシング（１）、及び自由端側に開口（５）を設けた第２のケーシング（２３）と、第３のケーシング（４０）において、基端側から自由端側に向って、順次、下記の部品を内装する構成とした浮遊ミスト捕捉機であって、
ケーシング（１）の基端側に設けた貫通孔（７）を備えた支持板（８）に駆動用のモータ（１０）を設け、
支持板（８）の前面には、ケーシング（１）の内面に環状の間隔をおいて第１のパンチング筒部（１３）を内装し、第１のパンチング筒部（１３）には、中心にモータ（１０）の出力軸（１０ａ）を設けるとともに、第１のパンチング筒部（１３）の開放側には、開口（１４ａ）を有する遮蔽板（１４）を設け、遮蔽板（１４）の開口（１４ａ）には第一吸込手段を設け、かつ出力軸（１０ａ）に設けた羽根（１１）を内装し、
第１のパンチング筒部（１３）の開放側には、ケーシング（１）の内面に環状の間隔をおいて出力軸（１０ａ）に固止した回転自在のパンチング回転板（１２）を内装し、
またパンチング回転板（１２）の前面に第３のケーシング（４０）を設けて、第２の部屋（Ｂ）とするとともに、この第２の部屋（Ｂ）には、第３の吸込手段を内装し、
そして、第２の部屋（Ｂ）の前面に第２のケーシング（２３）を設けて、第１の部屋（Ａ）とするとともに、第１の部屋（Ａ）には、第２のケーシング（２３）の内面に環状の間隔をおいて第２のパンチング筒部（２４）を設け、第２のパンチング筒部（２４）に盲板（２５）を内装し、
さらに第２のケーシング（２３）の自由端側には、第２の吸込手段を内装し、第２のケーシング（２３）の自由端側の開口（５）に、第２の吸込手段の吸込口（２８ａ）を整合する構成とした浮遊ミスト捕捉機である。
【００３０】
従って、請求項３は、従来のフィルターを採用することによる目詰まりの問題を解消すること（フィルターレスを図ること）、浮遊ミストは、多重の迂回通路と、多段の広域的なパンチング手段（パンチング回転板、第１・第２のパンチング筒部）とを介して、確実にフィルターレスが図れる特徴がある。そして、この請求項３は、浮遊ミストの適確な衝突及び／又は確実な拡散、並びにパンチングの多孔による浮遊ミストの微粒子化を介して、空気と油分を、精緻に分離、かつ油分の確実な回収が図れる実益がある。
【００３１】
請求項４の発明は、請求項３に記載の浮遊ミスト捕捉機であって、
ケーシング（１）には、前記モータ（１０）、第１のパンチング筒部（１３）、及び羽根（１１）、並びに第１の吸込手段と、パンチング回転板（１２）とを内装し、
ケーシング（１）に、第２の部屋（Ｂ）を構成する第３のケーシング（４０）を連設し、第３のケーシング（４０）には、第３の吸込手段を内装し、
さらに第３のケーシング（４０）に、第１の部屋（Ａ）を構成する第２のケーシング（２３）を連設し、第１の部屋（Ａ）には、間隔をおいて盲板（２５）を内装するとともに、第２のケーシング（２３）には、第２の吸込手段を内装する構成とした浮遊ミスト捕捉機である。
【００３２】
従って、請求項４は、請求項３の目的を達成できること、この目的を達成するために、最適で、かつ分解が可能な構造の浮遊ミスト捕捉機を提供できること等の特徴を有する。
【００３３】
請求項５の発明は、請求項１、又は請求項３に記載の浮遊ミスト捕捉機であって、
ケーシング（１）の内面に、環状の間隔をおいて設けたパンチング回転板（１２）の円周端で、かつケーシング（１）の基端側には、環状の筒片を突設し、環状の筒片と、ケーシング（１）の内面との間に、第３の部屋（Ｃ）を設ける構成とした浮遊ミスト捕捉機である。
【００３４】
従って、請求項５は、請求項１、又は請求項３の目的を達成できること、この目的を達成するために、最適なパンチング回転板の構造を提供できること等の特徴を有する。
【００３５】
請求項６の発明は、請求項１、又は請求項３に記載の浮遊ミスト捕捉機であって、
第１のパンチング筒部（１３）は、二重構造のパンチング板を、環状に形成し、かつ二重構造のパンチング板材間に隙間を形成する構成とした浮遊ミスト捕捉機である。
【００３６】
従って、請求項６は、請求項１、又は請求項３の目的を達成できること、この目的を達成するために、最適な第１のパンチング筒部の構造を提供できること等の特徴を有する。
【００３７】
請求項７の発明は、請求項１、又は請求項３に記載の浮遊ミスト捕捉機であって、
ケーシング（１）の基端側の開口（４）は、ケーシング（１）の基端側を閉塞する遮蔽板（２）より突出した環状の筒部とする構成とした浮遊ミスト捕捉機である。
【００３８】
請求項８の発明は、請求項１、又は請求項３に記載の浮遊ミスト捕捉機であって、
第２のケーシング（２３）の自由端側の開口（５）に設けた遮蔽板（３）に穿孔した環状孔と、第２の吸込手段の吸込口（２８ａ）を整合する構成とした浮遊ミスト捕捉機である。
【００３９】
従って、請求項７・８は、請求項１、又は請求項３の目的を達成できること、この目的を達成するために、最適なケーシング及び第２のケーシングの構造を提供できること等の特徴を有する。
【００４０】
【００４１】
【発明を実施するための最良の形態】
【００４２】
本発明の一例を説明する。
【００４３】
図面の説明をすると、図１〜図３は、請求項１、２と請求項５〜８に示した一例を示しており、図１は浮遊ミスト捕捉機全体の断面図、図２は図１の分解断面図、図３は図１の側面図である。図４〜図５−２は、請求項１〜４と請求項５〜８に示した一例を示しており、図４は支持板の正面図、図５−１は基端側の開口の一例を示した正面図、図５−２は基端側の開口の他の一例を示した正面図である。また、図６〜図８は、請求項３、４と請求項５〜８に示した他の一例を示しており、図６は浮遊ミスト捕捉機全体の断面図、図７は図６の分解断面図、図８は図６の側面図である。
【００４４】
最初に、図１〜図５−２に示した請求項１、２と請求項５〜８の一例を説明する。図において、１は開放型で筒状を呈するケーシング（第１のケーシング「本体ケーシング」）で、このケーシング１の基端側１ａには遮蔽板２が設けられるとともに、この遮蔽板２には開口４が設けられる。この基端側１ａから自由端側１ｂに向って、順次、下記の部品（部材）を内装する構成であって、第２のケーシング（後述する）が着脱自在に設けられており、分解かつ組付け自在とし、当該第２のケーシングと、後述する各部品のメンテナンス及び／又は組付けの容易化、簡便化等を図る。
【００４５】
そして、ケーシング１の基端側１ａには、複数の貫通孔７を備えた支持板８が、そのリブ片８ａを介して支持されている。そして、この支持板８の基端側（基端側１ａの方向である。以下同じ）には、モータ１０を配備し、また自由端側（自由端側１ｂの方向である。以下同じ）にはモータ１０の出力軸１０ａが延設されており、この出力軸１０ａに羽根１１（羽根車）が固止されている。そして、この羽根１１の自由端側１ｂ（前面）には回転自在にパンチング回転板１２が設けられている（出力軸１０ａに固止されている）。従って、この羽根１１と、パンチング回転板１２（パンチングとは、多孔形状を云う）は、モータ１０の回転で、同時に回転する。また、前記支持板８の自由端側１ｂには、前記羽根１１を囲繞し、かつこの羽根１１の放射方向の自由端との間に間隔Ｓ１（空間）を介して、二重構造の第１のパンチング筒部１３を設けるが、この一例では、第１のパンチング筒部１３は、固定式で、支持板８と後述する遮蔽板１４とに差渡し設けられる。さらにこの第１のパンチング筒部１３は一重構造もあり得る）、かつこの第１のパンチング筒部１３の自由端側１ｂ（開放側）には開口１４ａを有する遮蔽板１４が、そのリブ片１４ｂを介してケーシング１に支持されて設けられており、この遮蔽板１４の開口１４ａには第１のベルマウス１６（第１の吸込手段）が設けられている。
【００４６】
尚、この第１のパンチング筒部１３は、ケーシング１の内面に、適宜間隔Ｓ１を置いて内装されている。この環状の間隔Ｓ１が、後述するルートＲ１を形成する。そして、前記パンチング回転板１２の基端側１ａの周縁部には、僅かな間隔をおいて、二重構造（一重も可能）の環状のパンチング筒板２０が設けられており、このパンチング筒板２０の一部を遮蔽するようにして、盲板１８が設けられている。従って、このパンチング筒板２０の一部が、空気の流通する多孔となる。尚、パンチング筒板２０は、遮蔽板１４に支持されており、このパンチング筒板２０に盲板１８が取付けられる構造である。そして、望ましくは、パンチング回転板１２と、ケーシング１の内面との隙間を閉塞する。尚、図示しないが、このパンチング筒板２０を内装せず、パンチング回転板１２を、ケーシング１の内面及び／又は前記この内面より突出した遮蔽環体に、僅かな間隔をおいて設ける構造も可能である。このパンチング筒板２０を設けない構造は、装置の簡略化、低コスト化等を図る。そして、また、パンチング回転板１２とケーシング１との隙間を遮蔽環体で遮蔽することがルートＲ１を確保するために有効である。また、前記遮蔽板１４と、盲板１８との間には、適宜間隔Ｓ１が形成される。このパンチング筒板２０とケーシング１の内面との間に第３の部屋Ｃを形成する。
【００４７】
このような構造を採用することから、ケーシング１に内装されたパンチング回転板１２の多数のパンチング孔（多孔とする）と、パンチング筒板２０の多孔と、盲板１８と、並びに遮蔽板１４及び第１のベルマウス１６と、第１のパンチング筒部１３の多孔と、さらに支持板８の貫通孔７との間には、図示したルートＲ１（このルートＲ１の外側は、ケーシング１の内面で形成される。即ち、ケーシング１の内面は外郭体となる）が形成されて、このルートＲ１を、前記パンチング回転板１２の多孔より吸込まれた油分及び／又は清澄化された（処理済の空気）が流れる構造である。尚、この第１のパンチング筒部１３を二重構造とし、油水分離の効率化と、ミスト及び／又は空気の清澄化を図ることが理想である。またパンチング回転板１２の筒片１２ａと、パンチング筒板２０との関係も、前述の二重構造に準ずる。
【００４８】
そして、このパンチング回転板１２の前面（自由端側１ｂ）には、第１の部屋となる第２のケーシング２３を、それぞれ複数のボルト等の緊締手段及び／又は相互の端部の重合せとを介して、密着して連設する（組付ける）が、場合により、この第２のケーシング２３は、ケーシング１と一体構造もあり得る。この第２のケーシング２３の自由端側１ｂには、遮蔽板３が設けられるとともに、この遮蔽板３には開口５が設けられる。そして、この第２のケーシング２３は、第１の部屋Ａを構成するとともに、この第２のケーシング２３の基端側１ａには、この内面に環状の間隔Ｓ１をおいて一重構造（二重も可能）の第２のパンチング筒部２４を設ける。そして、盲板２５を支持するこの第２のパンチング筒部２４は、この第２のケーシング２３に設けた支持板２６を介して取付ける。また、この盲板２５（又は支持板２６、或いは遮蔽板３）を介して、この第２のケーシング２３に、第２のベルマウス２８（第２の吸込手段）を設ける。この第２のベルマウス２８の吸込口２８ａは、前記遮蔽板３の開口５と整合する構造である。尚、この第２のベルマウス２８の基端側１ａ（吐出口）には、適宜間隔（軸方向Ｘの間隔Ｓ１）をおいて、前記盲板２５が設けられる。
【００４９】
このような構造を採用することから、第２のケーシング２３に内装された第２のベルマウス２８と、盲板２５、並びに第２のパンチング筒部２４の多孔との間には、図示したルートＲ２（このルートＲ２の外側は、第２のケーシング２３の内面で形成される。即ち、第２のケーシング２３の内面は外郭体となる）が形成されて、このルートＲ２を、第２のベルマウス２８より吸込まれた浮遊ミスト（処理前の空気）が流れる構造である。尚、盲板２５と支持板２６との間には間隔Ｓ１が形成されており、この間隔Ｓ１もルートＲ２を構成する。そして、この支持板２６には、通路用の開口２６ａを有する。そして、この開口２６ａもルートＲ２を構成する。
【００５０】
図中３０は油分トレイで、ケーシング１、第２のケーシング２３の底面に設けられており、その図示しない開口部から、分離された油分が貯留される。３０ａはドレン用の配管を示す。
【００５１】
そこで、本機の動きと、浮遊ミスト、処理済の空気等の空気（空気とする）の流れを説明すると、モータ１０を駆動し、羽根１１の回転を介して、浮遊ミストが、前記ルートＲ２（一次処理）からルートＲ１（二次処理）に空気の流れが発生し、この空気は、多孔の壁面及び／又は表面に衝突し、微粒子化と、拡散が図れるとともに、油水分離されて、フィルターとしての機能を発揮する。そして、この一例では、主として、第２のパンチング筒部２４と、パンチング筒板２０、並びに第１のパンチング筒部１３の多孔を介して、多段階かつ繰返して行われる結果、フィルターとしての機能を発揮する。この効果に加えて、パンチング回転板１２の回転による遠心分離を介して、前述の微粒子化と、拡散が図れるとともに、油水分離されて、フィルターとしての機能を発揮する。これらの総合的な作用及び／又は各間隔Ｓ１・空間１００（後述する）と、ルートＲ１、Ｒ２等の（一次処理と、二次処理を）介して、浮遊ミストからの油水分離を、確実かつ効率的に行うとともに、フィルターレスを図り（濾過及び／又は吸着方式のフィルターを採用せず）、かつ処理済の空気となって、外気中に拡散される。また油分は、油分トレイ３０に貯留される。尚、特例として、この一例では、濾過及び／又は吸着方式のフィルターを採用する事例も考えられる（他の一例も考えられる）。
【００５２】
そして、基端側１ａに設けた開口４は、図５−１の如く、中心部に設けた構造では、モータ１０の汚れが考えられるが、図５−２の如く、上部に設けた構造では、その汚れが少ないものと考えられる。また設置場所の状況と、空気の流れを考慮して選択される。即ち、汎用性と、使用の簡便性とを考えた構造である。そして、ケーシング１とモータ１０との間の空間１００を形成する。そして、この空間１００は、空気の通路となり、かつルートＲ１を構成する。尚、Ｓ１は間隔を示している（一部は、具体的な説明あり）。
【００５３】
続いて、図６〜図８に示した請求項３、４と請求項５〜８の他の一例を説明する。この図６〜図８の説明は、前述の請求項１、２と請求項５〜８の一例に、他の構造を付加したものであり、その付加した構造と、その組付けの相違点を説明する。この他の一例は、ケーシング１と、第２のケーシング２３との間に、第３のケーシング４０を設ける構造であり、具体的には、この第３のケーシング４０の基端側１ａを、ケーシング１の自由端側１ｂ（パンチング回転板１２の前面（軸方向Ｘ））に連設し（組付け）、またこの第３のケーシング４０の自由端側１ｂに、第２のケーシング２３の基端側１ａを、それぞれ複数のボルト等の緊締手段及び／又は相互の端部の重合せとを介して、密着して連設する。この連設で、ケーシング１と、第３のケーシング４０と、第２のケーシング２３が一体となる。この連設方式では、連設及び／又は各種の作業、メンテナンス等の容易化と、簡略化、又は取替えの容易化等が図れる（他の例も同じ）。勿論、このケーシング１と、第３のケーシング４０と、第２のケーシング２３が一体構造のものもあり得る。そして、この第３のケーシング４０は、第２の部屋Ｂを構成するとともに、内面に適宜間隔をおいて第３のベルマウス４１（第３の吸込手段）を内装する。従って、この第２の部屋Ｂの後面（基端側１ａ）に、ケーシング１の自由端側１ｂが連設されるとともに、この第２の部屋Ｂの前面（自由端側１ｂ）に、前述の第一の部屋Ａとなる第２のケーシング２３が連設される構造である。尚、この他の例では、当該第３のベルマウス４１を、第３のケーシング４０に設けるために、前述した支持板２６を、当該第３のケーシング４０に設けて支持し（内装し）、かつこの支持板２６の開口２６ａに、第３のベルマウス４１の吸込口４１ａを整合する構造である。また、第３のベルマウス４１の基端側１ａ（吐出口４１ｂ）には、適宜間隔Ｓ１をおいてパンチング回転板１２が設けられている。そして、この第３のケーシング４０に設けた第３のベルマウス４１の周囲に、一枚又は複数枚の仕切板４２を設けることで、第３のベルマウス４１の周囲に滞留する空気と、流れる空気とが衝突する際に発生する騒音を防止する。その他は、前述の一例に準ずる。
【００５４】
そして、この他の一例では、前述のルートＲ１、Ｒ２に、さらにルートＲ３が形成される。このルートＲ３は、第３のベルマウス４１の吸込口４１ａと、その吐出口４１ｂ、並びに間隔Ｓ１と、パンチング回転板１２とで形成される（このルートＲ３の外側は、第３のケーシング４０の内面で形成される）。そして、このルートＲ３を、第２のケーシング２３を通過して、一次処理された浮遊ミストに対して、第３のケーシングで二次処理が行われ、その油分の分離及び／又は空気の清澄化がされ、引続いて、三次処理が、ケーシング１で行われる。即ち、この他の一例では、一次処理から三次処理が行われて、前述した一例より、一層の浮遊ミストからの油水分離を、確実かつ効率的に行うとともに、確実なフィルターレスを図り、かつ処理済の略１００％清澄された空気となって、外気中に拡散される。
【００５５】
尚、図４〜５−２は、前述の例と同様のため、説明を省略する。また、ケーシング１と、パンチング回転板１２等とを緊締するボルトは図示しない。
【図面の簡単な説明】
【００５６】
【図１】図１は請求項１、２と請求項５〜８に示した一例の浮遊ミスト捕捉機全体の断面図
【図２】図２は図１の分解断面図
【図３】図３は図１の側面図
【図４】図４は請求項１〜４と請求項５〜８に示した一例の支持板の正面図
【図５−１】図５−１は請求項１〜４と請求項５〜８に示した一例の基端側の開口の一例を示した正面図
【図５−２】図５−２は請求項１〜４と請求項５〜８に示した一例の基端側の開口の他の一例を示した正面図
【図６】図６は請求項３、４と請求項５〜８に示した他の一例の浮遊ミスト捕捉機全体の断面図
【図７】図７は図６の分解断面図
【図８】図８は図６の側面図
【符号の説明】
【００５７】
１            ケーシング
１００        空間
１ａ          基端側
１ｂ          自由端側
２            遮蔽板
３            遮蔽板
４            開口
５            開口
７            貫通孔
８            支持板
８ａ          リブ片
１０          モータ
１０ａ        出力軸
１１          羽根
１２          パンチング回転板
１３          第１のパンチング筒部
１４          遮蔽板
１４ａ        開口
１４ｂ        リブ片
１６          第１のベルマウス
１８          盲板
２０          パンチング筒板
２３          第２のケーシング
２４          第２のパンチング筒部
２５          盲板
２６          支持板
２６ａ        開口
２８          第２のベルマウス
２８ａ        吸込口
３０          油分トレイ
３０ａ        配管
４０          第３のケーシング
４１          第３のベルマウス
４１ａ        吸込口
４１ｂ        吐出口
４２          仕切板
Ａ            第１の部屋
Ｂ            第２の部屋
Ｃ            第３の部屋
Ｒ１〜Ｒ３    ルート
Ｓ１          間隔
Ｘ            軸方向
【図１】
0005189332.tif 000002
【図２】
0005189332.tif 000003
【図３】
0005189332.tif 000004
【図４】
0005189332.tif 000005
【図５−１】
0005189332.tif 000006
【図５−２】
0005189332.tif 000007
【図６】
0005189332.tif 000008
【図７】
0005189332.tif 000009
【図８】
0005189332.tif 000010